(57)【要約】【課題】空気調和機と照明装置との間で操作を連携し、快適性を向上する家電制御システムを提供する。【解決手段】本実施形態の家電制御システムは、同一の室内に設けられている空気調和機および照明装置を制御する。制御装置は、前記空気調和機の運転に連携して、前記照明装置の照度または色調の少なくともいずれか一方を制御する。【選択図】図１
2014216835.tif 000002
【特許請求の範囲】
【請求項１】
同一の室内に設けられている空気調和機および照明装置を制御する家電制御システムであって、
前記空気調和機の運転に連携して、前記照明装置の照度または色調の少なくともいずれか一方を制御する制御装置を備える家電制御システム。
【請求項２】
前記空気調和機と前記照明装置との間の通信を中継する中継装置をさらに備える請求項１記載の家電制御システム。
【請求項３】
前記中継装置は、操作の内容を音声で出力する音声出力部を有する請求項２記載の家電制御システム。
【請求項４】
前記空気調和機は、前記照明装置が操作されると設定温度が変更される請求項１、２または３記載の家電制御システム。
【請求項５】
前記空気調和機の操作を遠隔から入力する遠隔操作装置をさらに備え、
前記遠隔操作装置は、前記空気調和機および前記照明装置へ信号を発信可能な信号発信部を有する請求項１から４のいずれか一項記載の家電制御システム。
【請求項６】
前記空気調和機は、屋外の携帯端末からの指示を受け付ける通信部と、前記通信部において前記携帯端末から受け付けた指示に基づいて前記照明装置を操作するための信号を発信可能な信号発信部を有する請求項１から５のいずれか一項記載の家電制御システム。
【請求項７】
前記空気調和機は、室内の照度を検出する照度検出手段を有し、
前記空気調和機および前記照明装置は、入力された操作および前記照度検出手段で検出した照度に基づいて、前記空気調和機の設定温度と、前記照明装置の色調または前記照明装置の照度の少なくともいずれか一方とを連携して変更する請求項１から６のいずれか一項記載の家電制御システム。
【発明の詳細な説明】
【技術分野】
【０００１】
本実施形態は、家電制御システムに関する。
【背景技術】
【０００２】
従来、家電機器は、操作の入力を簡略化するために、機器ごとに遠隔操作装置いわゆるリモコンを備えている。この遠隔操作装置は、より入力の簡略化のために音声での入力が可能となっている。このように機器ごとに遠隔操作装置を用いる場合、操作の対象となる機器が増加すると、遠隔操作装置も増加する。そのため、複数の家電機器を操作するとき、各家電機器に対応する複数の遠隔操作装置が必要となり、操作が非常に煩雑となる。そこで、複数の家電機器を一つの遠隔操作装置で操作するために、各家電機器に対応するコードを学習することが提案されている。
【０００３】
しかし、このように遠隔操作装置で複数の家電機器を操作できるように構成しても、各家電機器は個別に操作されるだけである。すなわち、複数の家電機器の間における連携は考慮されていないのが実情である。
【先行技術文献】
【特許文献】
【０００４】
【特許文献１】特開平５−２６８６７６号公報
【発明の概要】
【発明が解決しようとする課題】
【０００５】
そこで、空気調和機と照明装置との間で操作を連携し、快適性を向上する家電制御システムを提供することを目的とする。
【課題を解決するための手段】
【０００６】
上記の課題を解決するために本実施形態の家電制御システムは、同一の室内に設けられている空気調和機および照明装置を制御する。制御装置は、前記空気調和機の運転に連携して、前記照明装置の照度または色調の少なくともいずれか一方を制御する。
【図面の簡単な説明】
【０００７】
【図１】一実施形態による家電制御システムの概略構成を示す模式図
【図２】一実施形態による家電制御システムの構成を示すブロック図
【発明を実施するための形態】
【０００８】
以下、一実施形態による家電制御システムを適用した家屋の例を図１および図２に示す。
家屋の部屋は、空気調和機１０および照明装置１１を備えている。空気調和機１０は、室内機１２および室外機１３を有している。空気調和機１０は、室内機１２と室外機１３との間でヒートポンプを構成している。これにより、空気調和機１０は、冷房時において部屋へ冷気を供給するとともに、暖房時において部屋へ暖気を供給する。室内機１２は、例えば部屋の壁または天井などに固定されている。
【０００９】
照明装置１１は、空気調和機１０の室内機１２と同一の部屋に設けられている。照明装置１１は、一般に部屋の天井に固定されている。照明装置１１は、例えばＬＥＤや蛍光管などを有している。照明装置１１は、異なる色調の光を部屋へ照射する。本実施形態の場合、照明装置１１が照射する光の色調は、次の５種類が設定されている。すなわち、設定されている色調は、「電球色」、「温白色」、「白色」、「昼白色」および「昼光色」である。「電球色」は、色温度が「３０００Ｋ」程度に相当する色調である。同様に、「温白色」は色温度「３５００Ｋ」に相当し、「白色」は色温度「４２００Ｋ」に相当し、「昼白色」は色温度「５０００Ｋ」に相当し、「昼光色」は色温度「６５００Ｋ」に相当する。照明装置１１は、これら５種類のうちの１種類の光を部屋へ照射する。上記の色調は例示であり、照明装置１１は、より多種類または少種類の色調を照射するものであってもよい。また、色調の色温度は、例示であり、妥当な範囲内で任意に変更することができる。
【００１０】
次に、家電制御システム２０の構成について説明する。
家電制御システム２０は、上述の空気調和機１０、照明装置１１に加え、遠隔操作装置（以下、「リモコン」という。）２１および中継装置２２を備えている。空気調和機１０は、制御部２３、空調部２４、信号受信部２５、信号発信部２６および連携操作部２７を有している。制御部２３は、ＣＰＵ、ＲＯＭおよびＲＡＭからなるマイクロコンピュータを有している。この制御部２３は、特許請求の範囲の制御装置に相当する。制御部２３は、ＲＯＭに記憶されているコンピュータプログラムを実行することにより、空気調和機１０および家電制御システム２０を制御する。
【００１１】
空調部２４は、室内機１２および室外機１３を有しており、空気調和機１０から部屋へ供給する冷気または暖気の温度および風量を制御する。信号受信部２５は、例えば受光素子などを有しており、リモコン２１から発信された信号を受信する。信号発信部２６は、例えば発光素子などを有しており、中継装置またはリモコンへ信号を発信する。信号受信部２５および信号発信部２６は、例えば一体の送受信部として構成してもよい。信号受信部２５および信号発信部２６は、空気調和機１０の前面に設けられている。連携操作部２７は、制御部２３においてコンピュータプログラムを実行することによりソフトウェア的に実現されている。なお、連携操作部２７は、ハードウェア的またはソフトウェアとハードウェアとの協働によって実現してもよい。連携操作部２７は、空気調和機１０の運転に連携して照明装置１１を操作するための命令を作成する。
【００１２】
また、空気調和機１０は、通信部２８および照度検出手段としての照度センサ２９を有していてもよい。通信部２８は、屋外の携帯端末３０との間で通信可能である。携帯端末３０は、例えば携帯電話機、スマートフォン、タブレットパソコンあるいはモバイルパソコンなどであり、ユーザとともに屋外へ携行される。この携帯端末３０と空気調和機１０との間は、通信回線３１によって通信可能に接続されている。通信回線３１は、例えば無線ＬＡＮ、公衆電話回線、携帯電話回線あるいはインターネットなどである。ユーザは、リモコン２１に代えて携帯端末３０から空気調和機１０または照明装置１１の操作を入力することができる。通信部２８は、この携帯端末３０に入力された操作に基づく指示を、携帯端末３０から受け付ける。空気調和機１０の信号発信部２６は、この通信部２８で受け付けた指示に基づく信号も発信する。照度センサ２９は、空気調和機１０が設けられている部屋の照度を検出する。照度センサ２９は、検出した部屋の照度を電気信号として制御部２３へ出力する。
【００１３】
照明装置１１は、制御部３５、照明部３６、信号受信部３７および信号発信部３８を有している。制御部３５は、ＣＰＵ、ＲＯＭおよびＲＡＭからなるマイクロコンピュータを有している。制御部３５は、照明装置１１を制御する。特許請求の範囲の制御装置は、空気調和機１０の制御部２３に代えて照明装置１１の制御部３５であってもよい。すなわち、制御装置は、空気調和機１０の制御部２３または照明装置１１の制御部３５のいずれかであってもよく、空気調和機１０の制御部２３と照明装置１１の制御部３５との双方で構成してもよい。照明部３６は、ＬＥＤや蛍光管などの発光体で構成されている。照明部３６は、制御部３５からの制御に応じて、色調または照度を変更する。照明部３６をＬＥＤで構成する場合、制御部３５は各色のＬＥＤを制御することにより、色調または照度を変更する。また、照明部３６を蛍光管で構成する場合、照明部３６は異なる色調の蛍光管を単数または複数本有している。そのため、制御部３５は、点灯する蛍光管の本数や蛍光管の種類を制御することにより、色調または照度を変更する。信号受信部３７は、例えば受光素子などを有しており、中継装置２２から発信された信号を受信する。信号発信部３８は、例えば発光素子などを有しており、中継装置２２へ信号を発信する。信号受信部３７および信号発信部３８は、例えば一体の送受信部として構成してもよい。
【００１４】
リモコン２１は、制御部４１、信号発信部４２および操作入力部４３を有している。制御部４１は、ＣＰＵ、ＲＯＭおよびＲＡＭからなるマイクロコンピュータを有している。制御部４１は、リモコン２１を制御する。信号発信部４２は、例えば発光素子などを有しており、空気調和機１０へ信号を発信する。操作入力部４３は、空気調和機１０へ設定温度や設定風量などを入力するためのボタン４４を有している。ユーザは、リモコン２１の操作入力部４３を経由して空気調和機１０へ所望の設定を入力する。すなわち、ユーザがリモコン２１の操作入力部４３を操作すると、操作に対応する信号が信号発信部４２から空気調和機１０へ発信される。空気調和機１０は、信号受信部２５でリモコン２１から発信された信号を受信する。空気調和機１０の制御部２３は、この受信した信号に対応するように空調部２４を制御する。
【００１５】
中継装置２２は、制御部５１、信号受信部５２および信号発信部５３を有している。制御部５１は、ＣＰＵ、ＲＯＭおよびＲＡＭからなるマイクロコンピュータを有している。制御部５１は、中継装置２２を制御する。信号受信部５２は、例えば受光素子などを有しており、空気調和機１０から発信された信号を受信する。信号発信部５３は、例えば発光素子などを有しており、照明装置１１へ信号を発信する。信号受信部５２および信号発信部５３は、例えば一体の送受信部として構成してもよい。また、中継装置２２は、音声合成部５４および音声出力部５５を有していてもよい。音声合成部５４は、ＣＰＵでコンピュータプログラムを実行することにより、ソフトウェア的に音声を合成する。なお、音声合成部５４は、ハードウェア的、またはハードウェアとソフトウェアとの協働によって実現してもよい。音声出力部５５は、例えばスピーカなどを有しており、音声合成部５４で合成された音声を可聴的に出力する。
本実施形態の場合、リモコン２１と空気調和機１０との間では、赤外線の信号を用いて通信する。同様に空気調和機１０と中継装置２２との間、および中継装置２２と照明装置１１との間も、それぞれ赤外線の信号を用いて通信する。
【００１６】
次に、上記の構成による家電制御システム２０の作動例を説明する。
（冷房時）
まず、空気調和機１０を冷房で運転する冷房時について説明する。
ユーザは、リモコン２１に予め所望の設定温度を入力する。そして、ユーザは、リモコン２１から空気調和機１０へ冷房の開始を入力する。ユーザは、リモコン２１の操作入力部４３から設定温度および冷房の開始を入力する。リモコン２１の制御部４１は、このユーザの操作に応じた信号を信号発信部４２から発信する。
【００１７】
空気調和機１０の制御部２３は、信号受信部２５においてリモコン２１からの信号を受信すると、空気調和機１０を起動する。すなわち、制御部２３は、空調部２４の運転を開始する。このとき、連携操作部２７は、ユーザから入力された設定温度を高温側へ変更する。例えばユーザがリモコン２１に設定温度として「２５℃」を入力したとき、連携操作部２７は内部での設定温度を「２６℃」と、「＋１℃」高く設定する。したがって、制御部２３は、部屋の温度が「２６℃」となるように空調部２４を運転する。なお、このとき、内部で設定する設定温度は、「＋１℃」に限らない。例えば「＋０．５℃」または「＋１．５℃」など妥当な範囲で任意に設定することができる。
【００１８】
空気調和機１０の連携操作部２７は、設定温度を変更するとともに、照明装置１１の色調および照度を設定する。連携操作部２７は、上述のように冷房の指示があったとき、照明装置１１の色調を「昼光色」に設定する。すなわち、連携操作部２７は、冷房時、照明装置１１の色調をユーザが冷涼感を受ける「昼光色」に設定する。空気調和機１０は、連携操作部２７で照明装置１１の色調が設定されると、信号発信部２６から中継装置２２へ信号を発信する。この信号は、照明装置１１の点灯および色調を指定するための指示を含んでいる。すなわち、連携操作部２７は、設定温度の変更に加え、照明装置１１の点灯および色調を制御する。
【００１９】
中継装置２２は、空気調和機１０の信号発信部２６からの信号を信号受信部５２で受信する。そして、中継装置２２の制御部５１は、受信した信号を中継して信号発信部５３から照明装置１１へ発信する。このとき、中継装置２２の音声出力部５５は、空気調和機１０から受信した信号に対応する音声を出力する。具体的には、音声合成部５４は、空気調和機１０から受信した信号に基づく音声を合成する。そして、音声出力部５５は、この音声合成部５４で合成された音声を可聴的に出力する。例えば、上記のように照明装置１１の色調を「昼光色」に設定したとき、音声出力部５５は「照明を昼光色にします。」という音声を発する。
【００２０】
これとともに、照明装置１１は、信号受信部３７において中継装置２２の信号発信部５３から発信された信号を受信する。照明装置１１の制御部３５は、信号受信部３７で受信した信号に応じて照明部３６を制御する。すなわち、制御部３５は、受信した信号に基づいて照明部３６を点灯させるとともに、色調を「昼光色」に変更する。なお、信号受信部３７で信号を受信する前に照明部３６が既に点灯していたとき、制御部３５は照明部３６の点灯の制御を実行しない。また、信号受信部３７で信号を受信する前に照明部３６の色調が既に「昼光色」であったとき、制御部３５は照明部３６の色調を変更しない。
【００２１】
このように、空気調和機１０が冷房で運転が開始されると、連携操作部２７は、空気調和機１０の設定温度をユーザが希望する温度よりも高めに変更するとともに、照明装置１１を冷涼感のある色調に設定する。これにより、ユーザは、希望する設定温度よりも高い温度で空気調和機１０が運転されているときでも、「昼光色」の照明から受ける冷涼感によって体感温度が低下する。したがって、冷房運転時における空気調和機１０の消費電力を低減することができる。
【００２２】
（暖房時）
次に、空気調和機１０を暖房で運転する暖房時について説明する。
ユーザは、リモコン２１に予め所望の設定温度を入力する。そして、ユーザは、リモコン２１から空気調和機１０へ暖房の開始を入力する。ユーザは、リモコン２１の操作入力部４３から設定温度および暖房の開始を入力する。リモコン２１の制御部４１は、このユーザの操作に応じた信号を信号発信部４２から発信する。
【００２３】
空気調和機１０の制御部２３は、信号受信部２５においてリモコン２１からの信号を受信すると、空気調和機１０を起動する。すなわち、制御部２３は、空調部２４の運転を開始する。このとき、連携操作部２７は、ユーザから入力された設定温度を低温側へ変更する。例えばユーザがリモコン２１に設定温度として「２４℃」を入力したとき、連携操作部２７は内部での設定温度を「２３℃」と、「−１℃」低く設定する。したがって、制御部２３は、部屋の温度が「２３℃」となるように空調部２４を運転する。なお、このとき、内部で設定する設定温度は、「−１℃」に限らない。例えば「−０．５℃」または「−１．５℃」など妥当な範囲で任意に設定することができる。
【００２４】
空気調和機１０の連携操作部２７は、設定温度を変更するとともに、照明装置１１の色調および照度を設定する。連携操作部２７は、上述のように暖房の指示があったとき、照明装置１１の色調を「電球色」に設定する。すなわち、連携操作部２７は、暖房時、照明装置１１の色調をユーザが温暖感を受ける「電球色」に設定する。空気調和機１０は、連携操作部２７で照明装置１１の色調が設定されると、信号発信部２６から中継装置２２へ信号を発信する。この信号は、照明装置１１の点灯および色調を指定するための指示を含んでいる。すなわち、連携操作部２７は、設定温度の変更に加え、照明装置１１の点灯および色調を制御する。
【００２５】
中継装置２２は、空気調和機１０の信号発信部２６からの信号を信号受信部５２で受信する。そして、中継装置２２の制御部５１は、受信した信号を中継して信号発信部５３から照明装置１１へ発信する。このとき、中継装置２２の音声出力部５５は、空気調和機１０から受信した信号に対応する音声を出力する。具体的には、音声合成部５４は、空気調和機１０から受信した信号に基づく音声を合成する。そして、音声出力部５５は、この音声合成部５４で合成された音声を可聴的に出力する。例えば、上記のように照明装置１１の色調を「電球色」に設定したとき、音声出力部５５は「照明を電球色にします。」という音声を発する。
【００２６】
これとともに、照明装置１１は、信号受信部３７において中継装置２２の信号発信部５３から発信された信号を受信する。照明装置１１の制御部３５は、信号受信部３７で受信した信号に応じて照明部３６を制御する。すなわち、制御部３５は、受信した信号に基づいて照明部３６を点灯させるとともに、色調を「電球色」に変更する。なお、信号受信部３７で信号を受信する前に照明部３６が既に点灯していたとき、制御部３５は照明部３６の点灯の制御を実行しない。また、信号受信部３７で信号を受信する前に照明部３６の色調が既に「電球色」であったとき、制御部３５は照明部３６の色調を変更しない。
【００２７】
このように、空気調和機１０が暖房で運転が開始されると、連携操作部２７は、空気調和機１０の設定温度をユーザが希望する温度よりも低めに変更するとともに、照明装置１１を温暖感のある色調に設定する。これにより、ユーザは、希望する設定温度よりも低い温度で空気調和機１０が運転されているときでも、「電球色」の照明から受ける温暖感によって体感温度が上昇する。したがって、暖房運転時における空気調和機１０の消費電力を低減することができる。
【００２８】
（起床運転時）
次に、空気調和機１０で起床運転を実行する例について説明する。
ユーザは、リモコン２１に予め運転開始時刻を入力する。すなわち、ユーザは、起床時にあわせて空気調和機１０および照明装置１１を運転するために、起床時刻を運転開始時刻として入力する。ユーザは、リモコン２１の操作入力部４３から運転開始時刻を入力する。リモコン２１の制御部４１は、このユーザの操作に応じた信号を信号発信部４２から発信する。なお、空気調和機１０の設定温度は、冷房または暖房に応じて予めユーザから入力されている。
【００２９】
空気調和機１０の制御部２３は、信号受信部２５においてリモコン２１からの信号を受信すると、信号に含まれる運転開始時刻をＲＡＭなどに記憶する。連携操作部２７は、指定された運転開始時刻になると、空気調和機１０を起動する。すなわち、制御部２３は、空調部２４の運転を開始する。連携操作部２７は、空調部２４の運転を開始するとともに、照度センサ２９から部屋の照度を取得する。このとき、連携操作部２７は、照度センサ２９で検出した部屋の照度が十分に明るいとき、照明装置１１の制御を終了する。すなわち、部屋の照度が十分に明るいとき、ユーザは既に起床して照明装置１１を運転している、または日光などの外光が部屋内に入射していると考えられる。したがって、連携操作部２７は、照明装置１１の制御を終了する。
【００３０】
一方、連携操作部２７は、照度センサ２９で検出した部屋の照度が暗いとき、照明装置１１の運転開始を指示、ならびに照度および色調を変化させる設定を行なう。このとき、連携操作部２７は、照明装置１１の運転を開始、すなわち点灯させた後、時間の経過とともに照度を増していくとともに、時間の経過とともに「昼白色」から「昼光色」へ色調が変化するように設定する。これにより、ユーザは、日の出と近似した照度および色調の変化を受け、快適な目覚めを得ることができる。空気調和機１０は、これら照明装置１１の運転開始、ならびに照度および色調を変化させる設定が連携操作部２７で設定されると、信号発信部２６から中継装置２２へ信号を発信する。
【００３１】
中継装置２２は、空気調和機１０の信号発信部２６からの信号を信号受信部５２で受信する。そして、中継装置２２の制御部５１は、受信した信号を中継して信号発信部５３から照明装置１１へ発信する。このとき、中継装置２２の音声出力部５５は、空気調和機１０から受信した信号に対応する音声を出力する。具体的には、音声合成部５４は、空気調和機１０から受信した信号に基づく音声を合成する。そして、音声出力部５５は、この音声合成部５４で合成された音声を可聴的に出力する。例えば、上記のように照明装置１１の運転を開始するとき、音声出力部５５は「照明をつけます。」という音声を発する。
【００３２】
これとともに、照明装置１１は、信号受信部３７において中継装置２２の信号発信部５３から発信された信号を受信する。照明装置１１の制御部３５は、信号受信部３７で受信した信号に応じて照明部３６を制御する。すなわち、制御部３５は、受信した信号に基づいて照明部３６を点灯させるとともに、時間の経過とともに照明部３６の照度を徐々に増加させる。また、制御部３５は、時間の経過とともに照明部３６の色調を「昼白色」から「昼光色」へ変化させる。
【００３３】
このように、空気調和機１０が起床運転を開始すると、連携操作部２７は、照明装置１１の照度および色調を時間の経過とともに変化させる。これにより、希望する起床時刻になると、空気調和機１０および照明装置１１の運転が開始する。そのため、ユーザは、日の出に似た自然な空調および光を受ける。したがって、快適な目覚めを迎えることができる。また、ユーザの目覚めが速やかであるため、空気調和機１０や照明装置１１の無駄な運転は低減される。したがって、空気調和機１０および照明装置１１の消費電力を低減することができる。
【００３４】
（就寝運転時）
次に、空気調和機１０で就寝運転を実行する例について説明する。
ユーザは、リモコン２１に予め運転停止時刻を入力する。すなわち、ユーザは、就寝時にあわせて空気調和機１０および照明装置１１を運転するために、運転停止時刻を入力する。ユーザは、リモコン２１の操作入力部４３から運転停止時刻を入力する。リモコン２１の制御部４１は、このユーザの操作に応じた信号を信号発信部４２から発信する。なお、空気調和機１０の設定温度は、冷房または暖房に応じて予めユーザから入力されている。
【００３５】
空気調和機１０の制御部２３は、信号受信部２５においてリモコン２１からの信号を受信すると、信号に含まれる運転開始時刻をＲＡＭなどに記憶する。連携操作部２７は、指定された運転停止時刻になると、空気調和機１０を就寝時運転に移行させる。すなわち、制御部２３は、空調部２４の運転を通常よりも弱めた就寝時運転で運転する。連携操作部２７は、空調部２４を就寝時運転に移行させるとともに、照度センサ２９から部屋の照度を取得する。このとき、連携操作部２７は、照度センサ２９で検出した部屋の照度が十分に暗いとき、照明装置１１の制御を終了する。すなわち、部屋の照度が十分に暗いとき、ユーザは既に就寝して照明装置１１の運転を停止していると考えられる。したがって、連携操作部２７は、照明装置１１の制御を終了する。
【００３６】
一方、連携操作部２７は、照度センサ２９で検出した部屋の照度が明るいとき、照明装置１１の運転開始を指示、ならびに照度および色調を変化させる設定を行なう。このとき、連携操作部２７は、照明装置１１の運転を、時間の経過とともに照度を減じていくとともに、時間の経過とともに現在の色調から「電球色」へ色調が変化するように設定する。これにより、ユーザは、快適な就眠を得ることができる。空気調和機１０は、これら照明装置１１の照度および色調を変化させる設定が連携操作部２７で設定されると、信号発信部５３から中継装置２２へ信号を発信する。
【００３７】
中継装置２２は、空気調和機１０の信号発信部２６からの信号を信号受信部５２で受信する。そして、中継装置２２の制御部５１は、受信した信号を中継して信号発信部５３から照明装置１１へ発信する。このとき、中継装置２２の音声出力部５５は、空気調和機１０から受信した信号に対応する音声を出力する。具体的には、音声合成部５４は、空気調和機１０から受信した信号に基づく音声を合成する。そして、音声出力部５５は、この音声合成部５４で合成された音声を可聴的に出力する。例えば、上記のように照明装置１１を徐々に暗くする運転を開始するとき、音声出力部５５は「照明を暗くします。」という音声を発する。
【００３８】
これとともに、照明装置１１は、信号受信部３７において中継装置２２の信号発信部５３から発信された信号を受信する。照明装置１１の制御部３５は、信号受信部３７で受信した信号に応じて照明部３６を制御する。すなわち、制御部３５は、受信した信号に基づいて、時間の経過とともに照明部３６の照度を徐々に増加させる。また、制御部３５は、時間の経過とともに照明部３６の色調を「電球色」へ変化させる。
【００３９】
このように、空気調和機１０が就寝運転に移行すると、連携操作部２７は、照明装置１１の照度および色調を時間の経過とともに変化させる。したがって、ユーザは、自然な就眠を迎えることができる。また、ユーザの就眠が促されるため、空気調和機１０や照明装置１１の無駄な運転は低減される。したがって、空気調和機１０および照明装置１１の消費電力を低減することができる。
【００４０】
以上説明した一実施形態では、制御部２３は、空気調和機１０に連携して照明装置１１の照度や色調などを制御する。そのため、ユーザは、空気調和機１０によって調整された実際の室温が希望する設定温度と異なるときでも、照明装置１１から受ける印象によって体感温度が希望する設定温度に近似する。したがって、空気調和機１０の過剰な運転を低減することができ、消費電力を低減することができる。
【００４１】
また、一実施形態では、空気調和機１０と照明装置１１との間に中継装置２２を備えている。部屋における空気調和機１０および照明装置１１の配置によっては、空気調和機１０と照明装置１１との間で直接の通信が困難な場合がある。すなわち、空気調和機１０と照明装置１１との位置関係は、相互間での通信に影響を及ぼすおそれがある。空気調和機１０と照明装置１１との間に中継装置２２が存在することにより、空気調和機１０と照明装置１１とは、位置関係に関わらず、中継装置２２を経由して通信が可能となる。したがって、部屋の形状や空気調和機１０および照明装置１１の配置に関わらず、空気調和機１０と照明装置１１との間の通信を確実に達成することができる。
【００４２】
一実施形態では、中継装置２２は、音声出力部５５から音声を発する。これにより、空気調和機１０と照明装置１１とが連携して運転されるとき、ユーザは照明装置１１がどのように制御されるかを容易に認識する。したがって、誤操作や誤認識を低減することができる。
【００４３】
一実施形態では、空気調和機１０は、屋外の携帯端末３０から指示を受け付ける通信部２８を有している。これにより、ユーザは、外出中に携帯端末３０から空気調和機１０へ操作を入力することができる。また、空気調和機１０は、携帯端末３０から入力された指示を照明装置１１へ発信する。したがって、外部から携帯端末３０によって空気調和機１０を操作できるとともに、空気調和機１０と照明装置１１とを連携して運転することができる。
【００４４】
（その他の実施形態）
上述の実施形態に代えて、以下のような実施形態であってもよい。
連携操作部２７は、照明装置１１の操作によって空気調和機１０の設定温度を変更してもよい。例えば、冷房時において照明装置１１の色調が「昼光色」から「電球色」に変更されたとき、連携操作部２７は空気調和機１０における設定温度を「＋０．５℃」程度上昇させる。また、例えば、暖房時において照明装置１１の色調が「電球色」から「昼光色」に変更されたとき、連携操作部２７は空気調和機１０における設定温度を「−０．５℃」程度低下させる。これにより、空気調和機１０で消費される電力は増加するものの、ユーザは照明装置１１の照射する光の雰囲気に関わらず体感温度が維持される。したがって、快適性を維持することができる。
【００４５】
また、リモコン２１は、空気調和機１０だけでなく照明装置１１を操作するための信号を出力する構成であってもよい。これにより、中継装置２２が無くても、一つのリモコン２１によって空気調和機１０と照明装置１１とを連携して操作することができる。この場合、リモコン２１は、空気調和機１０の連携操作部２７で変更された設定を含む信号を受信するとともに、照明装置１１へ発信する。
【００４６】
さらに、連携操作部２７は、照度センサ２９で検出した部屋の照度に応じて、空気調和機１０の設定温度、照明装置１１の色調または照度などを組み合わせて変更してもよい。例えば冬季に部屋の照度が低くなると、連携操作部２７は空気調和機１０の設定温度を上昇するとともに、照明装置１１の色調を「電球色」として実際の室温および体感温度の双方を上昇させる。このように部屋の照度に応じて空気調和機１０および照明装置１１を連携することにより、部屋の快適性をより高めることができる。
【００４７】
なお、リモコン２１と中継装置２２とは、兼用することもできる。すなわち、中継装置２２にリモコン２１の機能を持たせ、中継装置２２から空気調和機１０へ操作の入力を行なう構成としてもよい。また、中継装置２２は、省略してもよい。すなわち、空気調和機１０と照明装置１１との間は、中継装置２２を経由することなく、直接通信する構成としてもよい。
【００４８】
以上、本発明の複数の実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４９】
図面中、１０は空気調和機、１１は照明装置、２０は家電制御システム、２１はリモコン（遠隔操作装置）、２２は中継装置、２３は制御部（制御装置）、２６は信号発信部、２８は通信部、２９は照度センサ（照度検出手段）、４２は信号発信部、５５は音声出力部を示す。
【図１】
2014216835.tif 000003
【図２】
2014216835.tif 000004